(57)【要約】【課題】使用者が贈答用のスライドショーを容易に設定可能な画像表示装置を提供する。【解決手段】スライドショーを表示する表示部１２と、スライドショーを構成する構成データを記憶する内蔵メモリ２６と、スライドショーの設定を制御する主制御部１６と、主制御部１６への指示を入力するための操作部２０と、を備える画像表示装置であって、主制御部１６は、内蔵メモリ２６又は当該画像表示装置の外部に配置された外部記憶手段に記憶された構成データから、操作部２０からの入力によって選択された構成データを用いたスライドショーの内容を設定し、内蔵メモリ２６に予め記憶されていた構成データのうち操作部２０によって選択されなかった構成データを消去又は使用不可能とし、表示部１２は、主制御部１６が設定したスライドショーの内容を表示すること。【選択図】図４
2012209838.tif 000002
【特許請求の範囲】
【請求項１】
スライドショーを表示する表示手段と、
前記スライドショーを構成する構成データを記憶する内部記憶手段と、
前記スライドショーの設定を制御する制御手段と、
前記制御手段への指示を入力するための入力手段と、
を備える画像表示装置であって、
前記制御手段は、前記内部記憶手段又は当該画像表示装置の外部に配置された外部記憶手段に記憶された構成データから、前記入力手段からの入力によって選択された構成データを用いた前記スライドショーの内容を設定し、
前記内部記憶手段に予め記憶されていた構成データのうち前記入力手段によって選択されなかった構成データを消去又は使用不可能とし、
前記表示手段は、前記制御手段が設定したスライドショーの内容を表示することを特徴とする画像表示装置。
【請求項２】
前記制御手段は、前記入力手段からの入力に応じた前記構成データの選択が確定したことを契機として、前記内部記憶手段に予め記憶されていた構成データのうち前記入力手段によって選択されなかった構成データを消去又は使用不可能とすることを特徴とする請求項１に記載の画像表示装置。
【請求項３】
前記制御手段は、前記スライドショーの用途に応じて決定されるテーマを複数のテーマから選択して設定可能に構成され、前記入力手段からの入力に応じて前記テーマを設定し、設定された前記テーマに応じて前記スライドショーの内容を設定することを特徴とする請求項１又は２記載の画像表示装置。
【請求項４】
前記制御手段は、前記設定されたテーマに応じて、前記スライドショーの内容として、表示間隔、再生順序、トランジション及び背景音楽の少なくとも１つを設定することを特徴とする請求項３記載の画像表示装置。
【請求項５】
前記外部記憶手段と前記制御手段とは、インターフェースを介して接続されていることを特徴とする請求項１乃至４のいずれかに記載の画像表示装置。
【請求項６】
前記外部記憶手段は、前記制御手段とネットワークを介して接続されたサーバ及び／又はＰＣであり、
前記制御手段は、前記サーバ及び／又はＰＣと当該画像表示装置とを接続する無線インターフェースを介して接続されていることを特徴とする請求項１乃至５のいずれかに記載の画像表示装置。
【発明の詳細な説明】
【技術分野】
【０００１】
本発明は、画像表示装置に関し、特に複数の画像データを所定の順序で表示するスライドショー機能を備えた画像表示装置に関する。
【背景技術】
【０００２】
従来、内蔵された記憶手段に記憶された画像データを所定の順序でスライドショーとして表示する画像表示装置が知られている（例えば、特許文献１参照）。特許文献１には、画像表示装置の一例としてデジタルフォトフレーム（Degital Photo Frame、以下、ＤＰＦともいう）が記載されている。特許文献１に記載されたＤＰＦは、内蔵した記憶媒体内の画像データを所定の順序で表示するスライドショーモードを実行可能に構成されている。また、このＤＰＦは、スライドショーモードの実行を指示するスライドショーボタンを備えている。このように構成された特許文献１に記載のＤＰＦは、スライドショーボタンが操作されると、所定の順序で画像データを表示するスライドショーを表示する。
【先行技術文献】
【特許文献】
【０００３】
【特許文献１】特開２００４−２９５０３３号公報
【発明の概要】
【発明が解決しようとする課題】
【０００４】
ところで、このようなＤＰＦが贈答品として用いられる場合には、贈答する者（以下、贈答者という）が予め贈答用のスライドショーを設定し、贈答用のスライドショーのみを表示可能な状態としてから贈答することがある。
【０００５】
しかしながら、一般的に、ＤＰＦは出荷時に予め試用画像が記憶されており、試用のスライドショーが表示されるように設定されている。したがって、従来のＤＰＦを用いて贈答用のスライドショーのみを表示可能な状態とするには、贈答者が、まず、出荷時に記憶されている試用画像を消去し、続いて贈答用のスライドショーに用いる画像をＤＰＦに記憶させ、さらに贈答用のスライドショーの各種の設定を行わなければならなかった。ここで、贈答用のスライドショーの各種の設定とは、例えば、スライドショーの内容に応じた画像の再生順序、再生間隔、トランジション（映像効果）、バックグラウンド音楽等の設定である。
【０００６】
このように、従来のＤＰＦを贈答品として用いる場合に、贈答者は、贈答用のスライドショーを設定するために画像をＤＰＦに記憶させたり、不要な画像を削除したり、スライドショーの各種の設定といった操作を行わなければならず、その操作が煩雑であるという問題があった。
【０００７】
また、贈答者は、贈答品として購入したＤＰＦなので、通常、このＤＰＦの操作方法について熟知していないことが多い。したがって、贈答者は、マニュアルを読みながら贈答用のスライドショーの設定に関する煩雑な操作を行わなければならず、贈答用のスライドショーの設定が困難であることがあった。
【０００８】
本発明は、上述した事情に鑑みてなされたものであり、上述のような問題を解決することを課題の一例とするものであり、これらの課題を解決することができる画像表示装置を提供することを目的とする。
【課題を解決するための手段】
【０００９】
このような目的を達成するために、請求項１に記載される発明に係る画像表示装置は、スライドショーを表示する表示手段と、前記スライドショーを構成する構成データを記憶する内部記憶手段と、前記スライドショーの設定を制御する制御手段と、前記制御手段への指示を入力するための入力手段と、を備える画像表示装置であって、前記制御手段は、前記内部記憶手段又は当該画像表示装置の外部に配置された外部記憶手段に記憶された構成データから、前記入力手段からの入力によって選択された構成データを用いた前記スライドショーの内容を設定し、記内部記憶手段に予め記憶されていた構成データのうち前記入力手段によって選択されなかった構成データを消去又は使用不可能とし、前記表示手段は、前記制御手段が設定したスライドショーの内容を表示することを特徴とする。
【図面の簡単な説明】
【００１０】
【図１】本発明の一実施の形態に係るデジタルフォトフレームの外観を示す正面図である。
【図２】本発明の一実施の形態に係るデジタルフォトフレームの外観を示す背面図である。
【図３】本発明の一実施の形態に係るデジタルフォトフレームの概略構成を示すブロック図である。
【図４】本発明の一実施の形態に係るデジタルフォトフレームのギフト作成動作を示す図である。
【図５】図４に示すギフト作成動作１におけるデジタルフォトフレームの表示画面の一例を示す説明図である。
【図６】本発明の他の実施の形態に係るデジタルフォトフレームのギフト作成動作を示す図である。
【図７】本発明のさらに他の実施の形態に係るデジタルフォトフレームのギフト作成動作を示す図である。
【図８】本発明のさらに他の実施の形態に係るデジタルフォトフレームのギフト作成動作を示す図である。
【図９】本発明のさらに他の実施の形態に係るデジタルフォトフレームを用いたギフト作成手順を示す図である。
【発明を実施するための形態】
【００１１】
以下、本発明の実施例について図面を参照しながら具体的に説明する。便宜上、同一又は同等の構成要素については同一の符号を付し、説明が重複する場合にはその説明を省略する。なお、本発明は、内蔵された記憶手段に記憶された複数の画像データを所定の順序で表示するスライドショー機能を備えた画像表示装置に広く適用可能であるが、ここでは画像表示装置としてデジタルフォトフレーム（以下、ＤＰＦという）に本発明を適用した場合の一例について説明する。
【００１２】
図１及び図２に示すように、ＤＰＦ１０は、ＤＰＦ１０は、筐体１４の正面側において、画像等を表示するための表示部１２及び周囲の明るさを検出する明るさセンサ２２を備えるとともに、背面側において、電源のＯＮ，ＯＦＦ操作を行う電源ボタン１８、所定の入力操作を行う操作部２０、音声を出力するためのスピーカ３４、外部メモリＩ／Ｆ２８及びＵＳＢスレイブＩ／Ｆ３０を備えている。また、図３に示されるように、ＤＰＦ１０は、その筐体１４の内部において、動作制御を行う制御手段としての主制御部１６、ＤＰＦの傾きや動きを検出する傾きセンサ２４、画像等のデータを記憶する内蔵メモリ２６及び無線Ｉ／Ｆ３２を備えている。
【００１３】
表示部１２は、静止画及び動画を含む画像を表示するための表示手段であり、例えば、液晶ディスプレイ、有機ＥＬ（Electroluminescence）ディスプレイ、ＣＲＴ（Carthode Ray Tube）ディスプレイ等によって構成されている。
【００１４】
筐体１４は、表示部１２、主制御部１６といったＤＰＦ１０を構成する各部材をその内部に収容する部材である。図１及び図２に示されるように、筐体１４の正面側は、表示部１２を囲うフレーム形状を有し、背面側は全体を覆うように構成されている。また、筐体１４の正面側には明るさセンサ２２が、背面側には電源ボタン１８、操作部２０、スピーカ３４の放音孔、外部メモリＩ／Ｆ２８及びＵＳＢスレイブＩ／Ｆ３０がそれぞれ配置されている。
【００１５】
操作部２０は、ＤＰＦ１０による表示内容の決定といった、ＤＰＦ１０の各種動作の設定を指示するための複数の操作ボタンからなり、筐体１４の背面側に配置されている。使用者は、表示部１２に表示される設定画面を見ながら操作部２０を操作することにより、ＤＰＦ１０の各種設定を行うことができる。すなわち、操作部２０は、使用者による主制御部１６への指示を入力するための入力手段である。
【００１６】
スピーカ３４は、音声を出力するための手段であり、筐体１４の背面側に一対設けられている。なお、スピーカ３４の数は特に制限はなく、１つでもよく３つ以上でもよい。また、スピーカ３４の配置位置は特に制限はなく、筐体１４の正面側でもよい。
【００１７】
主制御部１６は、ＤＰＦ１０の各種動作を制御する制御手段であり、例えば、図３に示されるように、少なくともＣＰＵ１６ａ、ＲＯＭ１６ｂ及びＲＡＭ１６ｃを備える。ＣＰＵ１６ａは、演算処理装置及び制御装置として機能し、各種プログラムに従ってＤＰＦ１０の動作全般を制御する。ＲＯＭ１６ｂは、スライドショーの各種の設定を行うためのプログラムや演算パラメータ等を記憶する。ＲＡＭ１６ｃは、ＣＰＵ１６ａの実行において使用するプログラムや、その実行において適宜変化するパラメータ等を一時的に記憶する。
【００１８】
内蔵メモリ２６は、表示部１２に表示させる画像を生成するのに用いるデータ（静止画データ、動画データ、音声データ等を含む）や、スライドショーを構成するために必要な各種の設定情報（スライドショーの再生順序や、再生間隔等）をＤＰＦ１０の内部に記憶しておくための記憶手段である。なお、この内蔵メモリ２６は、筐体１４の内部に配置されるものである。
【００１９】
外部メモリＩ／Ｆ２８は、表示部１２に表示させる画像を生成するのに用いられるデータが記憶された外部メモリとＤＰＦ１０の主制御部１６とを接続するためのインターフェースである。図２及び３に示すように、外部メモリＩ／Ｆ２８は、例えば、各種メモリーカードを接続するためのメモリーカードＩ／Ｆ２８ａ及びＵＳＢ（Universal Serial Bus）メモリを接続するためのＵＳＢメモリＩ／Ｆ２８ｂを備えるものであり、筐体１４の側面に配置されている。
【００２０】
ＵＳＢスレイブＩ／Ｆ３０は、ＤＰＦ１０にＰＣ（Personal Computer）を接続するためのインターフェースであり、筐体１４の側面に配置されている。使用者は、ＤＰＦ１０にＰＣ（図示省略）を接続して、ＰＣに記憶されたデータを主制御部１６に入力したり、ＰＣからＤＰＦ１０の内蔵メモリ２６に記憶されたデータを編集、消去したりすることができる。
【００２１】
無線Ｉ／Ｆ３２は、無線ＬＡＮ、Ｂｌｕｅｔｏｏｔｈ（登録商標）等の各種の無線通信規格に準じた無線通信手段である。ＤＰＦ１０は、無線Ｉ／Ｆ３２を介して外部機器に接続可能であり、この外部機器内にあるデータを表示部１２に表示させるデータとして主制御部１６に入力することができる。
【００２２】
傾きセンサ２４は、ＤＰＦ１０の傾きを検出するためのセンサであり、筐体１４の内部に配置されている。傾きセンサ２４は、例えば、ジャイロセンサや、メカ式、光学式の４方向検出センサ等、ＤＰＦ１０の傾きを検出できるものであればよい。傾きセンサ２４で検出されたＤＰＦ１０の傾きを示す信号が主制御部１６に入力されると、傾きセンサ２４が検出した向きに応じて表示部１２に表示する画像の向きが調整され。例えば、ＤＰＦ１０が横向きに配置されていることが検出されると、主制御部１６はその短手方向を表示画像の上下方向とするように画像の向きを調整する。また、ＤＰＦ１０が縦向きに配置されていることが検出されると、主制御部１６はその長手方向が表示画像の上下方向となるように画像の向きを調整する。
【００２３】
なお、ＤＰＦ１０の向きとは、ＤＰＦ１０が設置されている向きのことである。例えば、図１に示すように長手方向を地面と平行に配置する向きを横向きといい、長手方向を地面と直交するように配置する向きを縦向きという。
【００２４】
明るさセンサ２２は、ＤＰＦ１０の周囲の明るさ（照度）を検出するためのセンサであり、図１に示されるように、例えばＤＰＦ１０を横向きに配置したときに筐体１４の正面側の上部となるように配置されている。明るさセンサ２２で検出されたＤＰＦ１０の周囲の明るさを示す信号が主制御部１６に入力されると、主制御部１６は、表示部１２の輝度を明るさセンサ２２による検出値に応じた使用者にとって見やすい輝度に調整する。なお、明るさセンサの配置位置は、周囲の明るさを検出可能な位置であれば特に制限されず、筐体１４の正面側の他の位置であってもよいし、背面側であってもよい。
【００２５】
このように構成されたＤＰＦ１０は、内蔵メモリ２６に記憶されたデータ、外部メモリＩ／Ｆ２８を介して接続された外部メモリに記憶されたデータ、ＵＳＢスレイブＩ／Ｆ３０を介して接続されたＰＣに記憶されたデータ及び無線Ｉ／Ｆ３２を介して接続された外部機器内のデータから選択された所定のデータを用いて生成されたスライドショーを表示部１２に表示するとともに、バックグラウンド音楽をスピーカ３４から出力する。
【００２６】
ここで、本発明に係るＤＰＦ１０は、贈答用のスライドショーを設定するための「ギフト作成機能」を備えている。このＤＰＦ１０において、表示部１２に表示するスライドショーを設定する制御手段として機能する。スライドショーの設定にあたり、使用者による所定の操作によって「ギフト作成機能」が実行されると、主制御部１６によって表示部１２にウィザード形式のインターフェースが表示される。使用者は、表示部１２に表示される案内にしたがって、スライドショーを構成するための画像データを選択する。続いて、使用者は、設定するスライドショーの用途に応じて「テーマ」を設定する。テーマとは、例えば、結婚式、運動会、出産、誕生日等のスライドショーの用途や種類を示すものである。本実施例のＤＰＦ１０は、使用者が選択したテーマに応じて、スライドショーのトランジション、スライドショーを構成する画像の再生順番、表時間隔（表示時間）等のスライドショーの設定に係る各種の設定を自動で行うように構成されている。
【００２７】
なお、トランジションとは、元の画像から次の画像へ切り替える際の映像効果のことであり、例えば、画面を次第に明るくして画像を表示するフェードイン、画面を次第に暗くして画像を消すフェードアウト、元の画像に次の画像が割り込むようにして表示させるワイプ、元の画像から次の画像へと２つの画像を同時に表示させながら滑らかに変化させるオーバーラップ等である。
【００２８】
＜第１の実施例＞
以下、概説したギフト作成機能を実行した場合の主制御部１６による動作制御について、図４に示されるフローチャートを参照しながら説明する。図４に示す第１の実施例によるギフト作成動作は、使用者が設定メニューからギフト作成機能を選択するものであり、外部メモリＩ／Ｆ２８を介して接続された外部メモリ（不図示）に記憶されている画像データを用いてスライドショーが設定される動作手順の一例である。
【００２９】
使用者が操作部２０を操作してＤＰＦ１０の設定メニューに予め用意されている「ギフト作成機能」を実行させると、ＤＰＦ１０によって、ギフト用のスライドショーを設定するためのウィザード形式のインターフェースが起動され、ギフト作成機能がスタートする。まず、ステップＳ１１において、スライドショーに使用するための画像データ等が記憶された外部メモリを外部メモリＩ／Ｆ２８に接続（挿入）することを促す表示画面が表示部１２に表示される。具体的には、主制御部１６によって、表示部１２に例えば「外部メモリを挿入して下さい」等のメッセージが表示される。
【００３０】
次に、スッテプＳ１２において、外部メモリＩ／Ｆ２８に外部メモリが挿入されたか否かが判定される。外部メモリが挿入されていないと判定された場合は、ステップＳ１１に戻り、引き続き外部メモリの挿入を促す表示画面を表示部１２に表示する。そして、外部メモリが挿入されていると判定されると、ＤＰＦ１０はステップＳ１３に移る。なお、予め外部メモリを外部メモリＩ／Ｆ２８に挿入した状態で「ギフト作成機能」を実行させた場合には、ステップＳ１１及びステップＳ１２が省略されるように構成されていても構わない。
【００３１】
次に、ステップＳ１３において、挿入された外部メモリに画像データが記憶されているかが判定される。画像データが記憶されていないと判定された場合には、ステップＳ１４に移る。ステップＳ１４では、主制御部１６によって、挿入された外部メモリに画像が記憶されていないことを報知する「外部メモリに画像ありません」等のメッセージを含む報知画面が、表示部１２に一定時間（例えば、数秒から数十秒）表示され、ステップＳ１１に戻る。一方、ステップ１３において、ＤＰＦ１０は、挿入された外部メモリに画像データが記憶されていることを確認した場合は、ステップＳ１５に移る。
【００３２】
次に、ステップＳ１５において、挿入された外部メモリに記憶されている画像データが表示部１２にサムネイル形式で画像表示される。すなわち、主制御部１６は、複数の画像データのそれぞれの画像を縮小するとともに、これらの縮小した複数の画像を同時に配列させた状態で表示部１２に表示する。それとともに、主制御部１６は、スライドショーを構成する画像として使用したい画像を選択するように使用者に促す表示画面を表示部１２に表示する。具体的には、主制御部１６は、表示部１２に「使用する画像を選択して下さい」等のメッセージを表示する。使用者は、操作部２０を操作して使用したい画像を全て選択し、選択が完了したら完了を指示するために操作部２０を構成する決定ボタンを押す。
【００３３】
次に、ステップＳ１６において、選択の完了を意味する決定ボタンが押されたか否かが判定される。決定ボタンが押されていない場合は、ステップＳ１５に戻り、画像を選択するように促す表示画像を表示部１２に表示する。一方、決定ボタンが押された場合は、ステップＳ１７に移る。なお、主制御部１６は、決定ボタンが押されると、選択された画像データに対して、スライドショーに用いることを示すフラグを設定する。
【００３４】
次に、ステップＳ１７において、ステップＳ１５で表示部１２にサムネイル形式で表示された画像から、スライドショーを構成するために用いる画像が１枚以上選択されているかが判定される。画像が選択されてない場合は、ステップＳ１８に移り、スライドショーを構成するために用いる画像が選択されていないことを報知する「画像が選択されていません」等のメッセージを含む報知画面が一定時間（例えば、数秒）表示部１２に表示された後、ステップＳ１５に戻る。一方、ステップ１７において、スライドショーを構成するために用いる画像が使用者によって１枚以上選択されていること判定された場合は、ステップＳ１９に移る。
【００３５】
次に、ステップＳ１９において、作成しようとするスライドショーのテーマを選択することを促す表示画面が表示部１２に表示される。上述のように、テーマとはスライドショーの用途に応じて予め設定されているものであり、例えば、結婚式、運動会、出産、誕生日などである。
【００３６】
ここで、図５は、ステップＳ１９において表示部１２に表示される表示画面の一例を示す図である。図５に示すように、主制御部１６は、表示部１２の上部に例えば「テーマを選択して下さい」というメッセージを表示し、その下側に例えば「結婚式」、「運動会」、「出産」、「誕生日」及び「その他」という文字を表示する。使用者は、操作部２０を操作してスライドショーのテーマを選択し、選択が完了したら完了を指示するために操作部２０を構成する決定ボタンを押す。例えば、スライドショーのテーマが「結婚式」である場合は、使用者は、操作部２０を操作して「結婚式」にカーソルを合わせ、決定ボタンを押す。スライドショーのテーマが、結婚式、運動会、出産、及び誕生日のいずれにも当て嵌まらない場合は、使用者は「その他」を選択する。
【００３７】
次に、ステップＳ２０において、テーマが選択されたか否かが判定される。選択されていない場合は、ステップＳ１９に戻り、テーマを選択するように促す表示画面（図５参照）が表示部１２に表示される。一方、選択された場合は、処理がステップＳ２１に移る。
【００３８】
次に、ステップＳ２１において、内蔵メモリ２６に記憶されている全ての画像データが削除される。本実施例においては、スライドショーを構成する画像データが外部メモリから取得されるものである。したがって、内蔵メモリ２６内の画像データは、スライドショーを構成しない画像データである。本実施例のＤＰＦ１０は贈答品として用いられるものであり、不要な画像データを削除して送られるのが望ましい。そこで、主制御部１６により内蔵メモリ２６内の不要な画像データが自動で削除されることによって、使用者が自ら操作して内蔵メモリ２６内の画像データを削除する必要がなく、使用者が感じる煩雑さを抑制することができる。
【００３９】
次に、ステップＳ２２において、スライドショーを構成する画像として選択された画像データを内蔵メモリ２６にコピーする。具体的には、主制御部１６は、スライドショーに用いることを示すフラグが設定された画像データを、外部メモリから外部メモリＩ／Ｆ２８を介して取得し、この取得した画像データを内蔵メモリ２６に記憶させる。
【００４０】
次に、ステップＳ２３において、選択されたテーマに応じたスライドショーのバックグラウンド音楽（背景音楽）が設定される。ＤＰＦ１０には、内蔵メモリ２６内に予め複数の音声データが記憶されている。主制御部１６は、この複数の音声データのうち、選択されたテーマに応じて予め決められている音声データをスライドショーのバックグランド音楽として設定し、バックグラウンド音楽の設定情報を内蔵メモリ２６に記憶する。
【００４１】
次に、ステップＳ２４において、選択されたテーマに応じたスライドショーのトランジションが設定される。ＤＰＦ１０には、ＲＯＭ１６ｂに複数パターンのトランジションを実行するためのプログラムが記憶されている。主制御部１６は、この複数のトランジションのうち選択されたテーマに応じて予め決められているトランジションを選択し、トランジションの設定情報を内蔵メモリ２６に記憶する。
【００４２】
次に、ステップＳ２５において、選択されたテーマに応じたスライドショー間隔が設定される。ＤＰＦ１０には、ＲＯＭ１６ｂにスライドショー間隔を設定するためのプログラムが記憶されている。主制御部１６は、選択されたテーマに応じて最適なスライドショー間隔を演算し、このスライドショー間隔の設定情報を内蔵メモリ２６に記憶する。なお、スライドショー間隔は、テーマだけでなく、選択された画像の数やバックグラウンド音楽の種類等の情報も、そのパラメータとして演算されるように構成することができる。
【００４３】
次に、ステップＳ２６において、選択されたテーマに応じたスライドショーの再生順序を設定する。ＤＰＦ１０には、ＲＯＭ１６ｂにスライドショーの再生順序パターンを実行するためのプログラムが複数記憶されている。主制御部１６は、この複数のスライドショーの再生順序のパターンのうち選択されたテーマに応じて予め決められている再生順序パターンの設定情報を内蔵メモリ２６に記憶する。ここで、スライドショーの再生順序のパターンは、例えば、画像データの生成時順に再生するパターンや、ランダムに再生するパターン等である。
【００４４】
次に、ステップＳ２７において、内蔵メモリ２６内の全ての画像データがスライドショーとして表示されるように設定される。主制御部１６は、内蔵メモリ２６内の全ての画像データを再生対象とすることを示す設定情報を内蔵メモリ２６に記憶する。主制御部は、設定が終わると本フローチャートに示すギフト作成動作を終了する。
【００４５】
本実施例のＤＰＦ１０は、上述のようなギフト作成機能を備えている。これにより、使用者は、外部メモリを挿入し、画像を選択し、テーマを選択することを行うのみでスライドショーを設定しギフト用のデジタルフォトフレームを用意することができる。特に、本実施例のＤＰＦ１０では、内蔵メモリ２６内の不要な画像データを自動で削除するように構成されているので、使用者が自ら操作して内蔵メモリ内の画像データを削除する必要がなく、使用者が感じる煩雑さを抑制することができる。
【００４６】
また、本実施例のＤＰＦ１０では、使用者がウィザード形式のインターフェースの指示に応じたスライドショーの設定を行うことができるので、贈答用に購入したＤＰＦであっても、マニュアルを熟読する必要なく容易に贈答用のスライドショーの設定を行うことができる。
【００４７】
なお、本実施例は、外部メモリからスライドショーを構成する画像データを取得する場合のＤＰＦ１０のギフト作成動作の一例であり、本発明はこれに限定されない。例えば、ステップＳ２１において内蔵メモリ２６内の全ての画像データを削除するとしたが、これと合わせて、音声データや設定情報といったスライドショーを構成するための構成データのうち不要になったものを削除するようにしてもよい。例えば、出荷時に設定されているスライドショーに関する設定情報や、選択されたテーマとは関係のない音声データを削除するようにしてもよい。
【００４８】
＜第２の実施例＞
以下、第２の実施例に係るギフト作成機能を実行した場合の主制御部１６による動作制御について、図６に示されるフローチャートを参照しながら説明する。図６に示される第２の実施例であるギフト作成動作２は、使用者が設定メニューからギフト作成機能を選択するものであり、内蔵メモリ２６や、外部メモリＩ／Ｆ２８を介して接続された外部メモリに記憶されている画像データを用いてスライドショーが設定される動作手順の一例である。
【００４９】
使用者が操作部２０を操作してＤＰＦ１０の設定メニューに予め用意されている「ギフト作成機能」を実行させると、ＤＰＦ１０によって、ギフト用のスライドショーを設定するためのウィザード形式のインターフェースが起動され、ギフト作成機能がスタートする。そして、ステップＳ３１において、内蔵メモリ２６又は外部メモリのいずれに記憶された画像データ用いてスライドショーを作成するのかを選択する選択画面が表示部１２に表示される。使用者は、操作部２０を操作して使用したいメモリを選択し、選択が完了したら完了を指示するために操作部２０を構成する決定ボタンを押す。
【００５０】
次に、ステップＳ３２において、内蔵メモリ２６が選択されたか否かが判定される。ここで、使用者によって外部メモリを使用することが選択された場合は、図４に示すギフト作成動作１に移る。一方、使用者によって内蔵メモリ２６を使用することが選択された場合は、ステップＳ３３に移る。
【００５１】
次に、ステップ３３において、内蔵メモリ２６に画像データが記憶されているかが判定する。画像データが記憶されていない場合は、ステップＳ３４に移り、内蔵メモリ２６に画像が記憶されていないことを報知する「内蔵メモリに画像が入っていません」等のメッセージを含む報知画面が一定時間（例えば、数秒）表示された後、本フローチャートに示す、ギフト作成動作２が終了する。一方、ステップ３３において、内蔵メモリに画像データが記憶されていると判定された場合には、ステップＳ３５に移る。
【００５２】
ステップＳ３５では、内蔵メモリ２６に記憶されている画像データが表示部１２にサムネイル形式で表示されるとともに、使用者に画像の選択を促すメッセージが表示部１２に表示される。使用者は、操作部２０を操作して使用する画像を全て選択し、決定ボタンを押す。
【００５３】
次に、ステップＳ３６において、決定ボタンが押されたか否かを確認され、決定ボタンが押されていない場合はステップＳ３５に戻り、決定ボタンが押された場合はステップＳ３７に移る。
【００５４】
次に、ステップＳ３７において、ステップＳ３５で１枚以上の画像データが選択されたかが判定される。画像が選択されてない場合は、ＤＰＦ１０は、ステップＳ３８に移り、画像データが選択されていないことを報知する報知画面が一定時間（例えば、数秒）表示され、ステップＳ３５に戻る。一方、ステップ３７において，画像データが選択されていると判定された場合は、ステップＳ３９に移る。
【００５５】
ステップＳ３９では、スライドショーのテーマを選択するように促す表示画面（図５参照）が表示部１２に表示され、ステップＳ４０において、テーマが選択されたか否かが判定される。選択されていない場合はステップＳ３９に戻り、選択された場合はステップＳ４１に移る。
【００５６】
次に、ステップＳ４１において、内蔵メモリ２６に記憶されている画像データのうち、スライドショーを構成する画像として選択されなかった全ての画像データが削除される。
【００５７】
次に、ステップＳ４２乃至ステップＳ４５において、選択されたテーマに応じて、バックグラウンド音楽、トランジション、スライドショー間隔、スライドショーの再生順序が設定され、ステップＳ２７において、このときの内蔵メモリ２６内の全ての画像データをスライドショーとして表示されるように設定される。主制御部１６は、設定が終わると本フローチャートに示すギフト作成動作２を終了する。このように、実施例によるＤＰＦ１０のギフト作成動作では、外部メモリに記憶された画像データを使用せず、内蔵メモリ２６に記憶された画像データの中から、好みの画像データを選択する場合でも、選択されなかった画像データが自動的に削除される構成であるため、使用者が自ら操作して内蔵メモリ２６内の不要な画像データを削除する必要がなく、使用者が感じる煩雑さを抑制することができる。
【００５８】
＜第３の実施例＞
以下、第３の実施例に係るギフト作成機能を実行した場合の主制御部１６による動作制御について、図７に示されるフローチャートを参照しながら説明する。図７に示される第３の実施例であるギフト作成動作３は、使用者が設定メニューからギフト作成機能を選択するものであり、外部メモリＩ／Ｆ２８を介して接続された外部メモリや、無線Ｉ／Ｆ３２を介して接続されたサーバやＰＣ等に記憶されている画像データを用いてスライドショーを設定する場合の動作手順の一例である。本実施例では、ＤＰＦ１０は、例えば、オンラインストレージサービスを提供しているサーバ（不図示）や、外部に設置されたＰＣ（不図示）と、無線Ｉ／Ｆ３２を介して接続されるものである。そして、ＤＰＦ１０は、これらのサーバ、ＰＣ及び外部メモリに記憶されている画像データを取得してスライドショーを設定するのである。
【００５９】
使用者が操作部２０を操作してＤＰＦ１０の設定メニューに予め用意されている「ギフト作成機能」を実行させると、ＤＰＦ１０によって、ギフト用のスライドショーを設定するためのウィザード形式のインターフェースが起動され、ギフト作成機能がスタートする。そして、ステップＳ５１において、外部メモリか無線Ｉ／Ｆ３２のいずれに記憶された画像データ用いてスライドショーを作成するのかを選択する選択画面が表示部１２に表示される。使用者は、操作部２０を操作して外部メモリか無線Ｉ／Ｆ３２のいずれかを選択し、選択が完了したら完了を指示するために操作部２０を構成する決定ボタンを押す。
【００６０】
次に、ステップＳ５２において、無線Ｉ／Ｆ３２が選択されたか否かが判定される。ここで、使用者によって外部メモリを使用することが選択された場合は、図４に示すギフト作成動作１に移る。一方、使用者によって無線Ｉ／Ｆ３２を使用することが選択された場合は、ステップＳ５３に移る。
【００６１】
次に、ステップＳ５３において、オンラインストレージやＰＣの共有フォルダのアドレスを入力するように促す表示画面が表示部１２に表示される。使用者は、操作部２０を操作して使用したい画像が存在するオンラインストレージやＰＣの共有フォルダのアドレスを入力し、入力が完了したら完了を指示するために操作部２０を構成する決定ボタンを押す。
【００６２】
次に、ステップＳ５４において、正しいアドレスが入力されたかが判定される。正しいアドレスが入力されていない場合は、ステップＳ５３に戻り、アドレスの入力を再度促す表示画面が表示部１２に表示される。一方、正しいアドレスが入力されたと判定された場合は、ＤＰＦ１０はステップＳ５５に移る。
【００６３】
次に、ステップ５５において、指定されたアドレスに画像データが存在するかが判定される。画像データが存在しない場合は、主制御部１６は、ステップＳ５６に移る。ステップＳ５６において、指定されたアドレスに画像が存在しないことを報知する「指定されたアドレスには画像が存在しません」等のメッセージによる報知画面が一定時間（例えば、数秒）表示された後、本フローチャートに示す、ギフト作成動作３が終了する。一方、ステップ５５において、指定されたアドレスに画像データが存在すると判定された場合には、ステップＳ５７に移る。
【００６４】
次に、ステップＳ５７において、指定されたアドレスに記憶されている画像データが表示部１２にサムネイル形式で表示されるとともに、使用者に画像の選択を促すメッセージが表示部１２に表示される。使用者は、操作部２０を操作して使用する画像を全て選択し、決定ボタンを押す。
【００６５】
次に、ステップＳ５８において、決定ボタンが押されたか否かを確認され、決定ボタンが押されていない場合はステップＳ５７に戻り、決定ボタンが押された場合はステップＳ５９に移る。
【００６６】
次に、ステップＳ５９において、ステップＳ３５で１枚以上の画像データが選択されたかが判定される。画像が選択されてない場合は、ＤＰＦ１０は、ステップＳ６０に移り、画像データが選択されていないことを報知する報知画面が一定時間（例えば、数秒）表示され、ステップＳ５７に戻る。一方、ステップ５９において，画像データが選択されていると判定された場合は、ステップＳ６１に移る。
【００６７】
次に、ステップＳ６１において、スライドショーのテーマを選択するように促す表示画面（図５参照）が表示部１２に表示され、ステップＳ６２において、テーマが選択されたか否かが判定される。選択されていない場合はステップＳ６１に戻り、選択された場合はステップＳ６３に移る。
【００６８】
次に、ステップＳ６３において、内蔵メモリ２６に記憶されている画像データのうち、スライドショーを構成する画像として選択されなかった全ての画像データが削除される。
【００６９】
次に、ステップＳ６４において、スライドショーを構成する画像として選択された画像の画像データを内蔵メモリ２６にコピーする。具体的には、主制御部１６は、無線Ｉ／Ｆ３２を介してオンラインストレージやＰＣの共有フォルダから画像データをダウンロードして取得し、取得した画像データを内蔵メモリ２６に記憶させる。
【００７０】
次に、ステップＳ６５乃至ステップＳ６８において、選択されたテーマに応じて、バックグラウンド音楽、トランジション、スライドショー間隔、スライドショーの再生順序が設定され、ステップＳ６８において、このときの内蔵メモリ２６内の全ての画像データをスライドショーとして表示されるように設定される。主制御部１６は、設定が終わると本フローチャートに示すギフト作成動作３を終了する。このように、実施例によるＤＰＦ１０のギフト作成動作では、内蔵メモリ２６に記憶されているスライドショーに不要な画像データが自動的に削除される構成であるため、使用者が自ら操作して内蔵メモリ２６内の不要な画像データを削除する必要がなく、使用者が感じる煩雑さを抑制することができる。
【００７１】
＜第４の実施例＞
以下、第４の実施例に係るギフト作成機能を実行した場合の主制御部１６による動作制御について、図８に示されるフローチャートを参照しながら説明する。図８に示される第４の実施例であるギフト作成動作４は、外部メモリＩ／Ｆ２８に外部メモリが挿入されたことを契機としてギフト作成機能が実行されるように構成した場合や、所定の操作を行いながら（例えば、操作部２０の所定のボタンを押しながら等）外部メモリが挿入されたことを契機としてギフト作成機能が実行されるように構成した場合の動作手順の一例である。
【００７２】
まず、使用者によって外部メモリＩ／Ｆ２８に外部メモリが挿入されるか、操作部２０の所定のボタンが押された状態で外部メモリが挿入された場合に、主制御部１６によって、ギフト用のスライドショーを設定するためのウィザード形式のインターフェースが起動され、ギフト作成機能がスタートする。なお、このように外部メモリが挿入されたことを契機として自動的にギフト作成機能がスタートするものに限定されず、例えば、外部メモリが挿入されたことを契機として特定の設定メニューが表示され、このメニューからギフト作成機能を選択するように構成しても構わない。
【００７３】
そして、ステップ７１において、挿入された外部メモリに画像データ等が記憶されているか判定される。画像データ等が記憶されていない場合は、ＤＰＦ１０は、ステップＳ７２に移り、挿入された外部メモリに画像が記憶されていないことを報知する「外部メモリに画像が入っていません」等のメッセージを含む報知画面が一定時間（例えば、数秒）表示された後、本フローチャートに示すギフト作成動作４を終了する。一方、ステップ７１において、外部メモリに画像データ等が記憶されていると判定された場合は、ステップＳ７３に移る。
【００７４】
次に、ステップＳ７３において、外部メモリに記憶されている画像データが表示部１２にサムネイル形式で表示されるとともに、使用者に画像の選択を促すメッセージが表示部１２に表示される。使用者は、操作部２０を操作して使用する画像を全て選択し、決定ボタンを押す。
【００７５】
次に、ステップＳ７４において、決定ボタンが押されたか否かを確認され、決定ボタンが押されていない場合はステップＳ７３に戻り、決定ボタンが押された場合はステップＳ７５に移る。
【００７６】
次に、ステップＳ７５において、ステップＳ７３で１枚以上の画像データが選択されたかが判定される。画像が選択されてない場合は、ＤＰＦ１０は、ステップＳ７６に移り、画像データが選択されていないことを報知する報知画面が一定時間（例えば、数秒）表示され、ステップＳ７３に戻る。一方、ステップ７５において，画像データが選択されていると判定された場合は、ステップＳ７７に移る。
【００７７】
ステップＳ７７では、スライドショーのテーマを選択するように促す表示画面（図５参照）が表示部１２に表示され、ステップＳ７８において、テーマが選択されたか否かが判定される。選択されていない場合はステップＳ７７に戻り、選択された場合はステップＳ７９に移る。
【００７８】
次に、ステップＳ７９において、内蔵メモリ２６に記憶されている全ての画像データが削除される。次に、ステップＳ８０において、スライドショーを構成する画像として選択された画像の全ての画像データが内蔵メモリ２６にコピーされる。具体的には、主制御部１６によって、外部メモリＩ／Ｆ２８を介して外部メモリに記憶された画像データのち使用者によってステップＳ７３で選択された画像データが取得され、取得された画像データが内蔵メモリ２６に記憶される。
【００７９】
次に、ステップＳ８１乃至ステップＳ８４において、選択されたテーマに応じて、バックグラウンド音楽、トランジション、スライドショー間隔、スライドショーの再生順序が設定され、ステップＳ８５において、このときの内蔵メモリ２６内の全ての画像データをスライドショーとして表示されるように設定される。主制御部１６は、設定が終わると本フローチャートに示すギフト作成動作４を終了する。このように、実施例によるＤＰＦ１０のギフト作成動作では、外部メモリＩ／Ｆ２８に外部メモリが挿入されたことを契機として、ギフト作成動作が開始される構成である。そのため、使用者は、例えばスライドショーに使用したい画像データが記憶された外部メモリを、外部メモリＩ／Ｆ２８に挿入するだけで、あとは案内に従って設定をすれば所望のスライドショーを作成することができる。
【００８０】
＜第５の実施例＞
以下、第５の実施例に係るギフト作成機能を実行した場合の主制御部１６による動作制御について、図９に示されるフローチャートを参照しながら説明する。図９に示される第５の実施例であるギフト作成手順は、ＵＳＢスレイブＩ／Ｆ３０を介してＤＰＦ１０に接続されたＰＣを用いてスライドショーを設定する場合の手順の一例である。本実施例において、使用者が、ＤＰＦ１０の操作部２０を操作してギフト作成機能を実行した後や、所定の操作を行いながら（例えば、操作部２０の所定のボタンを押しながら等）、ＰＣをＵＳＢスレイブＩ／Ｆ３０を介してＤＰＦ１０に接続すると、ＤＰＦ１０がＵＳＢスレイブとして動作するように構成されている。そして、使用者は、ホスト側のＰＣにおいて専用のアプリケーションを用いて、ウィザード形式でスライドショーの設定を行うものである。
【００８１】
まず、使用者は、ＰＣをＵＳＢスレイブＩ／Ｆ３０を介してＤＰＦ１０に接続したのち、ステップＳ９１で、ＰＣに予めインストールされているスライドショー設定用のアプリケーションを起動する。ここで、例えば、ＰＣにスライドショー設定用のアプリケーションがインストールされている場合には、ＵＳＢスレイブＩ／Ｆ３０を介してＤＰＦ１０が接続されたことを契機として、自動的にアプリケーションが起動する構成であっても構わない。
【００８２】
次に、ステップＳ９２において、ＰＣ（ＰＣが備える制御手段）は、スライドショーに使用したい画像を選択するように使用者に促す「画像を選択して下さい」等のメッセージによる表示画面をその表示手段に表示させる。使用者は、ＰＣを操作して使用したい画像を全て選択し、選択が完了したら完了を指示するために画面に表示されたＯＫボタンを選択する。
【００８３】
次に、ステップＳ９３において、ＰＣによって、ＯＫボタンが押されたか否か判定される。ＯＫボタンが押されていない場合は、ステップＳ９２に戻り、画像を選択するように促す表示画像を表示部１２に表示する。一方、ＯＫボタンが押された場合は、ステップＳ９４に移る。
【００８４】
次に、ステップＳ９４において、ＰＣによって、スライドショーを構成するために用いる画像が１枚以上選択されたか判定される。画像が選択されてない場合は、ステップＳ９５に移り、スライドショーを構成するために用いる画像が使用者によって１枚以上選択されていないことを報知する報知画面を一定時間（例えば、数秒）表示した後、ステップＳ９２に戻る。一方、ステップ９４において、スライドショーを構成するために用いる画像が１枚以上選択されていると判定された場合は、ステップＳ９６に移る。
【００８５】
次に、ステップＳ９６において、作成しようとするスライドショーのテーマを選択するように促す表示画面（図５参照）がＰＣの表示手段に表示され、ステップＳ９７において、テーマが選択されたか判定される。テーマが選択されていない場合はステップＳ９６に戻り、選択された場合はステップＳ９８に移る。
【００８６】
次に、ステップＳ９８において、ＰＣによって、ＤＰＦ１０の内蔵メモリ２６に記憶されている全ての画像データが削除される。このように本実施例によるギフト作成手順によれば、ＰＣによって内蔵メモリ２６内の不要な画像データが自動で削除されるように構成されているので、使用者が自らＤＰＦ１０を操作して内蔵メモリ２６内の不要な画像データを削除する必要がなく、使用者が感じる煩雑さを抑制することができる。
【００８７】
次に、ステップ９９において、ＰＣは、スライドショーを構成する画像として選択された画像の画像データを内蔵メモリ２６にコピーする。具体的には、ＰＣの記憶手段に記憶されている画像データのうちステップＳ９２で選択された画像データが、ＵＳＢスレイブＩ／Ｆ３０を介して主制御部１６に入力される。そして、主制御部１６は、入力された画像データを内蔵メモリ２６に記憶させる。
【００８８】
次に、ステップＳ１００において、ＰＣによって、選択されたテーマに応じたスライドショーのバックグラウンド音楽（背景音楽）が設定される。ＰＣは、内蔵メモリ２６内に予め複数記憶されている音声データから、選択されたテーマに応じたスライドショーのバックグラウンド音楽として予め決められた音声データを選択し、その音声データをスライドショーのバックグランド音楽として設定し、バックグラウンド音楽の設定情報を内蔵メモリ２６に記憶する。
【００８９】
次に、ステップＳ１０１において、ＰＣによって、選択されたテーマに応じたスライドショーのトランジションが設定される。ＰＣは、複数のトランジションから、選択されたテーマに応じて予め決められたトランジションを選択し、そのトランジションの設定情報を内蔵メモリ２６に記憶する。
【００９０】
次に、ステップＳ１０２において、ＰＣによって、選択されたテーマに応じたスライドショー間隔が設定される。ＰＣは、選択されたテーマに応じて最適なスライドショー間隔を演算し、このスライドショー間隔の設定情報を内蔵メモリ２６に記憶する。なお、スライドショー間隔は、テーマだけでなく、選択された画像の数やバックグラウンド音楽の種類等の情報も、そのパラメータとして演算されるように構成することができる。
【００９１】
次に、ステップＳ１０３において、ＰＣによって、選択されたテーマに応じたスライドショーの再生順序が設定される。ＰＣは、複数のスライドショーの再生順序のパターンから選択されたテーマに応じて最適なスライドショーの再生順序のパターンを判定し、それをスライドショーの再生順序パターンとして設定し、スライドショー再生順序の設定情報を内蔵メモリ２６に記憶する。
【００９２】
次に、ステップＳ１０４において、ＰＣは、内蔵メモリ２６内の全ての画像データをスライドショーとして表示されるように設定する。ＰＣは、内蔵メモリ２６内の全ての画像データを再生対象とすることを示す設定情報を内蔵メモリ２６に記憶する。設定が終わると本フローチャートに示すギフト作成手順が終了する。このように、本実施例では、ＤＰＦ１０によってスライドショーの設定を行うだけでなく、具体的な各種選択をＰＣによって行うことができるものである。
【００９３】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用することができる。たとえば、上記実施例では、ＤＰＦ１０は、内蔵メモリ２６に予め記憶されている音声データからテーマに応じたものをバックグラウンド音楽に設定しているが、本発明はこれに限定されない。例えば、ＤＰＦ１０は、無線Ｉ／Ｆ３２を介して接続されたサーバやＰＣ等に記憶されている音声データをダウンロードし、バックグランド音楽を設定するように構成してもよい。この場合、音楽ダウンロードサイトから所望の音楽を購入できるようにしても構わない。
【００９４】
また、上記実施例では、スライドショーのテーマが選択されたことを契機として、内蔵メモリ内のスライドショーに利用されないデータが削除される例を示したが、これに限定されない。例えば、テーマが選択された後に、このテーマに沿った各種設定がなされたスライドショーのプレビューが行われ、このプレビューの結果に対する使用者の確認操作の後に、内蔵メモリのデータ削除を行う構成としても構わない。
【００９５】
また、上記実施例では、ＤＰＦ１０は、使用者はスライドショーを構成するための画像を選択し、スライドショーのテーマを選択すれば、ＤＰＦ１０又はＵＳＢスレイブＩ／Ｆ３０を介して接続されたホストＰＣが、自動でスライドショーの各種の設定を行うとともに、内蔵メモリ２６内の不要の画像を削除するように構成されているが、本発明はこれに限定されない。例えば、必ずしも、スライドショーのテーマを選択可能に構成する必要なく、使用者がスライドショーを構成するための画像を選択すれば、それを契機として、ＤＰＦ又はＵＳＢスレイブＩ／Ｆを介して接続されたホストＰＣが、自動でスライドショーの各種の設定を行うとともに、ＤＰＦの内蔵メモリ内の不要の画像を削除するように構成してもよい。この場合であっても、使用者は、内蔵メモリ内の不要の画像を削除する作業を行わなくてもよく、使用者の煩雑さを抑制することができる。
【００９６】
また、本発明において、スライドショーを構成する画像データは静止画に限定されず、動画データを含んでもよい。すなわち、本発明において、スライドショーを構成する構成データには、画像データ、動画データ、音声データ、各種設定情報が含まれる。
【００９７】
また、上記実施例では、ＤＰＦ１０は、使用者はスライドショーを構成するための画像を選択し、スライドショーのテーマを選択すれば、ＤＰＦ１０又はＵＳＢスレイブＩ／Ｆ３０を介して接続されたホストＰＣが、内蔵メモリ２６内の不要の構成データを削除するように構成されているが、本発明はこれに限定されない。例えば、本発明は、必ずしも内蔵メモリ内の不要になった構成データを削除しなくてもよく、当該構成データを使用不可能（そのままではアクセスできない状態）とするように構成してもよい。例えば、本発明にかかるＤＰＦは、当該構成データを削除せずに、使用者から参照できないように非表示とするように構成されていてもよい。
【００９８】
また、ＤＰＦ１０は、操作部２０を操作してスライドショーの設定等の指示を行うとしたが、本発明はこれに限定されず、図示しないリモートコントローラにより操作部２０と同様の操作を行えるように構成してもよい。また、表示部１２の表面にタッチパネルを設け、タッチパネルにより操作部２０と同様の操作を行えるように構成してもよい。
【００９９】
また、使用者に対する「画像が選択されていません」等の各種メッセージが表示部に表示される例を示したが、これに限定されず、例えばスピーカから音声によって案内されるものであっても構わないし、表示部による表示と音声による案内とを併用するものであっても構わない。
【符号の説明】
【０１００】
１０  デジタルフォトフレーム（画像表示装置）
１２  表示部
１６  主制御部
２０  操作部
２６  内蔵メモリ
２８  外部メモリＩ／Ｆ
３０  ＵＳＢスレイブＩ／Ｆ
３２  無線Ｉ／Ｆ
３４  スピーカ
【図１】
2012209838.tif 000003
【図２】
2012209838.tif 000004
【図３】
2012209838.tif 000005
【図４】
2012209838.tif 000006
【図５】
2012209838.tif 000007
【図６】
2012209838.tif 000008
【図７】
2012209838.tif 000009
【図８】
2012209838.tif 000010
【図９】
2012209838.tif 000011